(57)【要約】【課題】陳列ボードと棚板部材の組み合わせで形成されるものであって、特にパック物商品の多段陳列に好適であって、簡易な構造で組み付けが容易であり、しかも使用状態において、棚板部材が陳列ボードから容易には外れない商品陳列棚装置を提供すること。【解決手段】板状本体部２３の前後方向における一方の側及び他方の側に、板状本体部２３から互いに反対方向に異なる屈曲角度で屈曲する第１係止片部２１と第２係止片部２２とそれぞれ備える棚板部材２と、棚板部材２が設置される横溝１２であって、且つ陳列ボード面から深さ方向に対して斜め方向に形成された傾斜溝１２を、前後方向に所定のピッチで多数形成してなる陳列ボード１とを有する商品陳列棚装置１０ａ。【選択図】図１
0003120782.tif 000002
【実用新案登録請求の範囲】
【請求項１】
板状本体部の前後方向における一方の側及び他方の側に、該板状本体部から互いに反対方向に異なる屈曲角度で屈曲する第１係止片部と第２係止片部とをそれぞれ備える棚板部材と、
該棚板部材が設置される横溝であって、且つ陳列ボード面から深さ方向に対して斜め方向に形成された傾斜溝を、前後方向に所定のピッチで多数形成してなる陳列ボードとを有することを特徴とする商品陳列棚装置。
【請求項２】
前記第１係止片部と前記板状本体部とのなす角度が、９０±１０度であることを特徴とする請求項１記載の商品陳列棚装置。
【請求項３】
前記第２係止片部と前記板状本体部とのなす角度が、１２０±１０度であることを特徴とする請求項１又は２記載の商品陳列棚装置。
【請求項４】
前記陳列ボード面と前記傾斜溝とのなす角度が、６０±５度であることを特徴とする請求項１〜３のいずれか１項記載の商品陳列棚装置。
【請求項５】
前記陳列ボードを陳列姿勢に維持する支持部を、更に備えることを特徴とする請求項１〜３のいずれか１項記載の商品陳列棚装置。
【請求項６】
前記陳列ボードを、設置面に寝かせて使用することを特徴とする請求項１〜４のいずれか１項記載の商品陳列棚装置。
【請求項７】
前記陳列ボードを、設置面に対して垂直にして使用することを特徴とする請求項１〜４のいずれか１項記載の商品陳列棚装置。
【請求項８】
前記陳列ボードを、該陳列ボードと設置面のなす角度が４５±２５度となるようにして使用することを特徴とする請求項１〜５のいずれか１項記載の商品陳列棚装置。
【請求項９】
前記第１係止片部と前記傾斜溝を係合させて使用することを特徴とする請求項１〜８のいずれか１項記載の商品陳列棚装置。
【請求項１０】
前記第２係止片部と前記傾斜溝を係合させて使用することを特徴とする請求項１〜８のいずれか１項記載の商品陳列棚装置。
【考案の詳細な説明】
【技術分野】
【０００１】
本考案は、スーパーや百貨店などで使用され、特にパック物の商品を、上下方向に多様な角度で陳列することができる商品陳列棚装置に関するものである。
【背景技術】
【０００２】
従来、スーパーや百貨店などで使用される商品陳列台としては、陳列面が固定された商品陳列台や種々の形態の陳列面を形成できる商品陳列台が使用されている。種々の形態の陳列面を形成できる商品陳列台は、陳列商品の形状に合せたり、陳列場の模様替えなどにも柔軟に対応でき都合がよい。また、特にパック物商品を上下方向に演出効果を高めて陳列する場合、上下方向に所定のピッチで横溝を多数形成した陳列ボードに、棚板部材を差込み、複数段の陳列棚を形成した商品陳列棚装置が使用されている。この商品陳列棚装置は、簡易な構造であり、組み付けも容易で、パック物商品を陳列効率を高めて陳列することができる。
【考案の開示】
【考案が解決しようとする課題】
【０００３】
しかしながら、従来の商品陳列棚装置は、棚板部材が係合する陳列ボードの横溝は、陳列ボード面に対して、深さ方向に直角に切られているため、商品を取り出す際、棚板部材が外れる心配があった。この対策として、横溝の溝幅をやや狭くして横溝と棚板部材の係合摩擦を高めることも考えられるが、これでは逆に取外しや組み付けが困難となる。また、従来の商品陳列棚装置は、上下に複数段の陳列面を設置する陳列形態の他、例えば設置面に寝かせて使用する場合、棚板部材は陳列ボードから垂直に延びるだけであり、単純な陳列面しか演出できず、多様な形態の陳列面を形成するという要望には対応できないものであった。
【０００４】
従って、本考案の目的は、陳列ボードと棚板部材の組み合わせで形成されるものであって、特にパック物商品の多段陳列に好適であって、簡易な構造で組み付けが容易であり、しかも使用状態において、棚板部材が陳列ボードから容易には外れない商品陳列棚装置を提供することにある。
【課題を解決するための手段】
【０００５】
かかる実情において、本考案者は、鋭意検討を行った結果、板状本体部の前後方向における一方の側及び他方の側に、該板状本体部から互いに反対方向に異なる屈曲角度で屈曲する第１係止片部と第２係止片部とをそれぞれ備える棚板部材と、該棚板部材が設置される横溝であって、且つ陳列ボード面から深さ方向に対して斜め方向に形成された傾斜溝を、前後方向に所定のピッチで多数形成してなる陳列ボードとを有する商品陳列棚装置であれば、特にパック物商品の多段陳列に好適であって、簡易な構造で組み付けが容易であり、しかも使用状態において、棚板部材が陳列ボードから容易には外れないことなどを見出し、本考案を完成するに至った。
【０００６】
すなわち、本考案は、板状本体部の前後方向における一方の側及び他方の側に、該板状本体部から互いに反対方向に異なる屈曲角度で屈曲する第１係止片部と第２係止片部とをそれぞれ備える棚板部材と、該棚板部材が設置される横溝であって、且つ陳列ボード面から深さ方向に対して斜め方向に形成された傾斜溝を、前後方向に所定のピッチで多数形成してなる陳列ボードとを有する商品陳列棚装置を提供するものである。
【０００７】
また、本考案は、前記第１係止片部と前記板状本体部とのなす角度が、９０±１０度である前記商品陳列棚装置を、また、本考案は、前記第２係止片部と前記板状本体部とのなす角度が、１２０±１０度である前記商品陳列棚装置を、また、本考案は、前記陳列ボード面と前記傾斜溝とのなす角度が、６０±５度である前記商品陳列棚装置を、また、本考案は、前記陳列ボードを陳列姿勢に支持する支持部を、更に備える商品陳列棚装置を、また、本考案は、前記陳列ボードを、設置面に寝かせて使用する前記商品陳列棚装置を、また、本考案は、前記陳列ボードを、設置面に対して垂直にして使用する商品陳列棚装置を、また、本考案は、前記陳列ボードを、該陳列ボードと設置面のなす角度が４５±２５度となるようにして使用する商品陳列棚装置を、また、本考案は、前記第１係止片部と前記傾斜溝を係合させて使用する前記商品陳列棚装置を、また、本考案は、前記第２係止片部と前記傾斜溝を係合させて使用する商品陳列棚装置を提供するものである。
【考案の効果】
【０００８】
本考案によれば、陳列ボードの傾斜溝と棚板部材の第１係止片部と係合させて使用する形態及び陳列ボードの傾斜溝と棚板部材の第２係止片部と係合させて使用する形態のいずれにおいても、陳列商品が取り出される方向において、第１係止片部又は第２係止片部が角度のある係合状態を採るため、使用状態において、棚板部材が陳列ボードから容易には外れない。しかも、組み付ける際、傾斜溝と棚板部材の係合摩擦は高める必要は無く、簡易な構造でしかも組み付けが容易である。また、上下方向に多段陳列形態を採ると共に、隣接する側には、異なる多段陳列形態を採ることができるため、特に異なる形状のパック物商品の多段横列陳列に好適である。
【考案を実施するための最良の形態】
【０００９】
本考案の第１の実施の形態における商品陳列棚装置を図１〜図４を参照して説明する。図１は本例の商品陳列棚装置の斜視図、図２は図１の商品陳列棚装置の側面図、図３は本例の商品陳列棚装置で使用する棚板部材の側面図、図４は図２の商品陳列棚装置の一部を拡大して示す側面図をそれぞれ示す。なお、本明細書において、「前」は商品を見る顧客側を、「後」はその反対方向を言い、左右方向は、顧客側から見た方向を言い、上下は陳列ボードを起立させた状態における方向を言う。
【００１０】
商品陳列棚装置１０ａは、陳列ボード１、棚板部材２及び陳列ボード１を陳列姿勢に支持する脚部４（支持部）を組み付けた構造のものである。棚板部材２は、矩形且つ板状本体部２３の前後方向における一方の側及び他方の側に、板状本体部２３から互いに反対方向に異なる屈曲角度で屈曲する第１係止片部２１と第２係止片部２２とそれぞれ備えるものである。すなわち、図３に示される状態において、板状本体部２３の左側の第１係止片部２１は、板状本体部２３から上方へ直角に屈曲したものであり、板状本体部２３の右側の第２係止片部２２は、板状本体部２３から下方へ、板状本体部２３とのなす角度αが１２０度に屈曲したものである。板状本体部２３は、例えばパック物商品などの陳列商品が置かれる部分であり、その大きさなどは、陳列商品の種類、陳列の演出目的及び商品陳列棚装置の大きさなどにより適宜決定される。また、第１係止片部２１と第２係止片部２２の厚み及び長さは、傾斜溝１２に容易に嵌り且つ設置安定性に優れる等を考慮して適宜決定されるが、長さは傾斜溝１２の溝深さより大きくなると、陳列面にコーナー部が突出することになり、好ましくない。
【００１１】
第１係止片部２１と板状本体部２３がなす角度としては、上記直角に限定されず、その近傍、例えば９０±１０度の範囲で適宜使用することができる（図７参照）。また、第２係止片部２２と板状本体部２３がなす角度αとしては、上記１２０度に限定されず、その近傍、例えば１２０±１０度の範囲で適宜使用することができる（図４参照）。第１係止片部２１及び第２係止片部２２は、いずれか一方が陳列ボード１の傾斜溝１２に係合する場合、他方は板状本体部２３に陳列された商品の転落防止板となるものである。
【００１２】
陳列ボード１は、棚板部材２を設置すると共に、陳列形態によっては、自ら商品陳列面を構成する。陳列ボード１は、矩形状で所定の厚みを有するボード本体部１１と、棚板部材２が設置される横溝であって、且つ陳列ボード面から深さ方向に対して図中、斜め下方に形成された傾斜溝１２を、前後方向に所定のピッチで多数形成されたものである。なお、ここで用いる「前後方向」なる用語は、陳列ボード１が直立姿勢を採る場合、上下方向の意味である。傾斜溝１２において、陳列ボード面と傾斜溝１２のなす角度は、図中、６０度である。この傾斜角度γ３は、６０度に限定されず、本考案の効果が得られるものであれば、更に変更することができる。通常この傾斜角度は、６０±１０度の範囲で適宜決定される。
【００１３】
商品陳列棚装置１０ａにおける陳列ボード１は、本例では設置面７に対して、δの角度で前方下り傾斜であり、脚部４の支持によりこの陳列姿勢を保っている。なお、陳列ボード１の裏面には、適宜脚部４の一端が係合する係合部を有する。なお、本考案の商品陳列棚装置１０ａにおける陳列ボード１は、種々の陳列姿勢を採ることができ、例えば設置面７に寝かせて使用すること、設置面７に対して垂直にして使用すること、あるいは、陳列ボード１と設置面７のなす角度が４５±２５度となるように使用することなどができる。このうち、陳列ボード１と設置面７のなす角度が４５度のものが、パック物商品の多段陳列における顧客側からの見易さ、陳列効率等が向上する点及び棚板部材２が外れ難い等の点で好ましい。なお、陳列ボード１を陳列姿勢に維持する支持部としては、上記パイプ状の脚部４の他、既設の壁、支持棒、支持ワイヤー、支持枠体などが挙げられる。また、陳列ボード１が設置面７に寝かされて使用する場合、支持部は使用しなくともよい。
【００１４】
商品陳列棚装置１０ａの使用形態を図１１及び図１２に示す。商品陳列棚装置１０ａにおいて、棚板部材２の第２係止片部２２は陳列ボード１の傾斜溝１２に係合して、板状本体部２３は陳列ボード１に対して１２０度（γ１）の角度を有して水平の陳列姿勢を採る。一方、棚板部材２の第１係止片部２１は板状本体部２３から起立状態にあるため、陳列されたパック物商品Ａの前方への転落を有効に防止することができる。また、陳列商品Ａを前方へ引き出す際、棚板部材２に前方への引張り力が作用しても、棚板部材２の第２係止片部２２が、傾斜溝１２に屈曲状態で係合しているため、容易には外れない。これに対して、棚板部材２を陳列ボード１から外す場合には、棚板部材２を斜め前方へ持ち上げれば容易に外すことができる。また、商品陳列棚装置１０ａは、図１及び図２の陳列姿勢から、更に陳列ボード１の設置傾斜角度δを種々変化させることにより、多様な多段の陳列面を形成することができる。
【００１５】
次に、本考案の第２の実施の形態における商品陳列棚装置を図５〜図７を参照して説明する。図５は本例の商品陳列棚装置の斜視図、図６は図１の商品陳列棚装置の側面図、図７は図６の商品陳列棚装置の一部を拡大して示す側面図をそれぞれ示す。図５〜図７において、図１〜図４と同一構成要素には同一符号を付して、その説明を省略し、異なる点について主に説明する。すなわち、第２の実施の形態における商品陳列棚装置１０ｂにおいて、第１の実施の形態における商品陳列棚装置１０ａと異なる点は、商品陳列棚装置１０ａにおける棚板部材２を前後方向において、１８０度反転して使用したことにある。すなわち、棚板部材２は、第１係止片部２１を陳列ボード１の傾斜溝１２に係合させたものである。
【００１６】
また、商品陳列棚装置１０ｂの使用形態を図１３及び図１４に示す。商品陳列棚装置１０ｂにおいて、棚板部材２の第１係止片部２１は陳列ボード１の傾斜溝１２に係合して、板状本体部２３は陳列ボード１に対して１５０度（γ２）の角度を有して前方下り傾斜の陳列姿勢を採る。一方、棚板部材２の第２係止片部２２は板状本体部２３から斜め上、前方に起立状態にあるため、陳列されたパック物商品Ａの前方への転落を有効に防止することができる。商品陳列棚装置１０ｂによれば、陳列面である棚板部材２の板状本体部２３は、前方下り傾斜の陳列面を形成するため、顧客には陳列商品がより見易い形態となる他は、第１の実施の形態における商品陳列棚装置１０ａと同様の効果を奏する。
【００１７】
次に、本考案の第３〜５の実施の形態における商品陳列棚装置を図８〜図１１を参照して説明する。図８は第３の実施の形態例の商品陳列棚装置の側面図、図９は第４の実施の形態例の商品陳列棚装置の側面図、図１０は第５の実施の形態例の商品陳列棚装置の側面図、図１１は第６の実施の形態例の商品陳列棚装置の側面図をそれぞれ示す。図８〜図１１において、図１〜図４と同一構成要素には同一符号を付して、その説明を省略し、異なる点について主に説明する。
【００１８】
すなわち、第３の実施の形態における商品陳列棚装置１０ｃにおいて、第１の実施の形態における商品陳列棚装置１０ａと異なる点は、商品陳列棚装置１０ａにおける陳列ボード１を、支持部４を使用せず、設置面に寝かせ、更に設置面上で前後方向において、１８０度反転して使用したことにある。商品陳列棚装置１０ｃによれば、長物商品の同一水平面内における陳列に好適な陳列形態を演出できる他は、第１の実施の形態における商品陳列棚装置１０ａと同様の効果を奏する。
【００１９】
第４の実施の形態における商品陳列棚装置１０ｄにおいて、第２の実施の形態における商品陳列棚装置１０ｂと異なる点は、商品陳列棚装置１０ｂにおける陳列ボード１を、支持部４を使用せず、設置面に寝かせ、更に設置面上で前後方向において、１８０度反転して使用したことにある。商品陳列棚装置１０ｄによれば、長物商品及びパック物商品の同一平面内における陳列に好適な陳列形態を演出できる。
【００２０】
第５の実施の形態における商品陳列棚装置１０ｅにおいて、第１の実施の形態における商品陳列棚装置１０ａと異なる点は、商品陳列棚装置１０ａにおける陳列ボード１を、支持部４を使用せず、設置面に起立状態となるような陳列姿勢としたことにある。商品陳列棚装置１０ｅによれば、パック物商品Ａの同一垂直面内における陳列に好適な陳列形態を演出できる。
【００２１】
第６の実施の形態における商品陳列棚装置１０ｆにおいて、第５の実施の形態における商品陳列棚装置１０ｅと異なる点は、商品陳列棚装置１０ｅにおけるにおける棚板部材２を前後方向において、１８０度反転して使用したことにある。すなわち、棚板部材２は、第２係止片部２２を陳列ボード１の傾斜溝１２に係合させたものである。商品陳列棚装置１０ｆによれば、パック物商品Ａの同一垂直面内における陳列に好適な他の陳列形態を演出できる。
【００２２】
本考案の商品陳列棚装置の使用場所としては、特に制限されず、例えばスーパー、百貨店等の商品陳列売り場であり、特に、冷ケース内に設置して使用する形態やワゴン台に載せて使用する形態が挙げられる。
【図面の簡単な説明】
【００２３】
【図１】第１の実施の形態例の商品陳列棚装置の斜視図である。
【図２】図１の商品陳列棚装置の側面図である。
【図３】本例の商品陳列棚装置で使用する棚板部材の側面図である。
【図４】図２の商品陳列棚装置の一部を拡大して示す側面図である。
【図５】第２の実施の形態例の商品陳列棚装置の斜視図である。
【図６】図５の商品陳列棚装置の側面図である。
【図７】図６の商品陳列棚装置の一部を拡大して示す側面図である。
【図８】第３の実施の形態例の商品陳列棚装置の斜視図である。
【図９】第４の実施の形態例の商品陳列棚装置の斜視図である。
【図１０】第５の実施の形態例の商品陳列棚装置の斜視図である。
【図１１】第１の実施の形態例の商品陳列棚装置の使用状態図である。
【図１２】図１１の商品陳列棚装置の側面図である。
【図１３】第２の実施の形態例の商品陳列棚装置の使用状態図である。
【図１４】図１３の商品陳列棚装置の側面図である。
【図１５】第６の実施の形態例の商品陳列棚装置の斜視図である。
【符号の説明】
【００２４】
１    陳列ボード
２    棚板部材
４    支持部
７    設置面
１０ａ〜１０ｆ  商品陳列棚装置
１１    ボード本体部
１２    傾斜溝    
２１    第１係止片部
２２    第２係止片部
２３    板状本体部
Ａ、Ｂ    陳列商品
【図１】
0003120782.tif 000003
【図２】
0003120782.tif 000004
【図３】
0003120782.tif 000005
【図４】
0003120782.tif 000006
【図５】
0003120782.tif 000007
【図６】
0003120782.tif 000008
【図７】
0003120782.tif 000009
【図８】
0003120782.tif 000010
【図９】
0003120782.tif 000011
【図１０】
0003120782.tif 000012
【図１１】
0003120782.tif 000013
【図１２】
0003120782.tif 000014
【図１３】
0003120782.tif 000015
【図１４】
0003120782.tif 000016
【図１５】
0003120782.tif 000017